(57)【要約】  真空容器の一部を兼ねる長方形の開口部を有するフランジに、該開口部を囲む絶縁碍子枠体を挟持して該開口部を覆うように平板状の高周波アンテナ導体１３を設ける。当該構造において、高周波アンテナ導体の長辺に沿った一方の端にマッチングボックスを介して高周波電源を接続し、他端を接地して高周波電流が高周波アンテナ導体の一方の端から他方の端に流れるように給電する。これにより、高周波アンテナ導体のインピーダンスを低くすることができ、低電子温度の高密度プラズマを効率よく発生させることができる。
2009142016.tif 000002
【特許請求の範囲】
【請求項１】
a) 真空容器と、
b) 前記真空容器の壁面に設けられた開口部と、
c) 前記開口部を気密に覆うように取り付けられる板状の高周波アンテナ導体と、
を備えることを特徴とするプラズマ生成装置。
【請求項２】
前記壁面が導体から成り、前記高周波アンテナ導体と前記壁面の間に絶縁材が介挿されることを特徴とする請求項１に記載のプラズマ生成装置。
【請求項３】
前記高周波アンテナ導体を取り付けるためのフランジが前記開口部に設けられていることを特徴とする請求項１又は２に記載のプラズマ生成装置。
【請求項４】
前記開口部を複数有し、各開口部に高周波アンテナ導体が取り付けられる構造であることを特徴とする請求項１〜３のいずれかに記載のプラズマ生成装置。
【請求項５】
前記高周波アンテナ導体が長方形をなし、該高周波アンテナ導体の長手方向の一端がマッチングボックスを介して高周波電源に接続され、他端が接地されていることを特徴とする請求項１〜４のいずれかに記載のプラズマ生成装置。
【請求項６】
前記高周波アンテナ導体が長方形をなし、該高周波アンテナ導体の中央部がマッチングボックスを介して高周波電源に接続され、長手方向の両端が接地されていることを特徴とする請求項１〜４のいずれかに記載のプラズマ生成装置。
【請求項７】
前記開口部を複数有し、各開口部に前記高周波アンテナ導体が取り付けられ、該複数の高周波アンテナ導体が一定の間隔で平行に配置され、各高周波アンテナ導体の長手方向の一方の端部が給電バーで電気的に接続され、もう一方の端部が接地バーで電気的に接続され、各高周波アンテナ導体に流れる高周波電流が同一になるように給電及び接地されていることを特徴とする請求項５に記載のプラズマ生成装置。
【請求項８】
前記給電バーの一方の端部に高周波電源が接続され、前記複数の高周波アンテナ導体を挟んで給電バーと対向する接地バーの、前記高周波電源が接続された側の高周波アンテナ導体から数えて最終番目側の端部が接地されていることを特徴とする請求項７に記載のプラズマ生成装置。
【請求項９】
前記給電バーの中央部が高周波電源と電気的に接続され、前記接地バーの両端部がそれぞれ接地されていることを特徴とする請求項７に記載のプラズマ生成装置。
【請求項１０】
前記開口部を複数有し、各開口部に前記高周波アンテナ導体が取り付けられ、該複数の高周波アンテナ導体が一定の間隔で平行に配置され、各高周波アンテナ導体の中央部が給電バーで電気的に接続され、各高周波アンテナ導体の長手方向の両端部が第１の接地バー及び第２の接地バーで電気的に接続され、各高周波アンテナ導体に流れる高周波電流が同一になるように給電及び接地されていることを特徴とする請求項６に記載のプラズマ生成装置。
【請求項１１】
前記給電バーの一方の端部が高周波電源と接続され、前記第１接地バー及び第２接地バーの、前記高周波電源が接続された側の高周波アンテナ導体から数えて最終番目側の端部が接地されていることを特徴とする請求項１０に記載のプラズマ生成装置。
【請求項１２】
前記給電バーの中央部が高周波電源と電気的に接続され、前記第１接地バー及び第２接地バーの両端部がそれぞれ接地されていることを特徴とする請求項１０に記載のプラズマ生成装置。
【請求項１３】
前記高周波アンテナ導体の数が3個以上であり、該平行に並んだ高周波アンテナ導体のうち、少なくとも両端に配置された高周波アンテナ導体の前記真空容器の内部側表面が、両端より内側に配置された高周波アンテナ導体の方向に傾斜していることを特徴とする請求項７〜１２のいずれかに記載のプラズマ生成装置。
【請求項１４】
前記平行に並んだ複数の高周波アンテナ導体から成る組を複数有することを特徴とする請求項７〜１３のいずれかに記載のプラズマ生成装置。
【請求項１５】
前記複数組の高周波アンテナ導体の各組と接続された高周波電源及びマッチングボックスに対して、電力量の制御及びマッチングの調整を個別に行うための調整手段を有することを特徴とする請求項１４に記載のプラズマ生成装置。
【請求項１６】
前記高周波アンテナ導体の長手方向の長さが、前記高周波電源の周波数の真空波長の8分の1以下であることを特徴とする請求項５〜１５のいずれかに記載のプラズマ生成装置。
【請求項１７】
前記高周波アンテナを接地した状態と接地しない状態で切り替えることにより、プラズマのモードを誘導結合型と容量結合型の切り替えを行う切替手段を有することを特徴とする請求項１〜１６のいずれかに記載のプラズマ生成装置。
【請求項１８】
前記真空容器の内部側に前記高周波アンテナ導体の面に垂直な磁界成分を有する磁力線を生成する磁界生成手段を前記真空容器の外側に設置したことを特徴とする請求項１〜１７のいずれかに記載のプラズマ生成装置。
【請求項１９】
前記磁界生成手段が永久磁石であることを特徴とする請求項１８に記載のプラズマ生成装置。
【請求項２０】
前記磁界生成手段が電磁石であることを特徴とする請求項１８に記載のプラズマ生成装置。
【請求項２１】
前記高周波アンテナ導体の真空容器内側の面を覆うように遮蔽板が設けられていることを特徴とする請求項１〜２０のいずれかに記載のプラズマ生成装置。
【請求項２２】
前記遮蔽板の材料が、酸化物、窒化物、炭化物、又はフッ化物であることを特徴とする請求項２１に記載のプラズマ生成装置。
【請求項２３】
前記遮蔽板の材料が、石英、アルミナ、イットリア、あるいは炭化硅素であることを特徴とする請求項２１に記載のプラズマ生成装置。
【請求項２４】
前記高周波アンテナ導体の真空容器内側の面が誘電体被膜で被覆されていることを特徴とする請求項１〜２０のいずれかに記載のプラズマ生成装置。
【請求項２５】
前記誘電体被膜の材料が、酸化物、窒化物、炭化物、又はフッ化物であることを特徴とする請求項２４に記載のプラズマ生成装置。
【請求項２６】
前記誘電体被膜の材料が、石英、アルミナ、イットリア、あるいは炭化硅素であることを特徴とする請求項２４に記載のプラズマ生成装置。
【請求項２７】
前記高周波アンテナ導体の、前記真空容器の内部側表面におけるインピーダンスが該真空容器の外部側表面におけるインピーダンスより低いことを特徴とする請求項１〜２６のいずれかに記載のプラズマ生成装置。
【請求項２８】
前記高周波アンテナ導体の前記真空容器外部側表面に凹凸が設けられていることを特徴とする請求項２７に記載のプラズマ生成装置。
【請求項２９】
前記高周波アンテナ導体の前記真空容器外部側表面にハニカムパターンが設けられていることを特徴とする請求項２７に記載のプラズマ生成装置。
【請求項３０】
前記高周波アンテナ導体の前記真空容器内部側表面が鏡面仕上げされていることを特徴とする請求項２７〜２９のいずれかに記載のプラズマ生成装置。
【請求項３１】
前記高周波アンテナ導体が、基材と、該基材より抵抗率の低い金属部材から成り、前記低抵抗率金属部材が前記基材の前記真空容器内部側の面に接合されていることを特徴とする請求項２７〜３０のいずれかに記載のプラズマ生成装置。
【請求項３２】
前記基材がステンレス鋼であることを特徴とする請求項３１に記載のプラズマ生成装置。
【請求項３３】
前記基材がセラミックスであることを特徴とする請求項３１に記載のプラズマ生成装置。
【請求項３４】
前記セラミックスが酸化物、窒化物、炭化物、フッ化物であることを特徴とする請求項３３に記載のプラズマ生成装置。
【請求項３５】
前記低抵抗率金属部材が銀又は銅であることを特徴とする請求項３１〜３４に記載のプラズマ生成装置。
【請求項３６】
前記高周波アンテナ導体に電力を供給する給電部が、前記低抵抗率金属部材と接続されていることを特徴とする請求項３１〜３５のいずれかに記載のプラズマ生成装置。
【請求項３７】
前記低抵抗率金属部材の厚さが、該低抵抗率属部材に流れる高周波電流に対して表皮効果が及ぶ深さ以上であることを特徴とする請求項３１〜３６のいずれかに記載のプラズマ生成装置。
【請求項３８】
前記高周波アンテナ導体の前記真空容器内部側表面が、該真空容器内壁面と同一の面上に配置されている、又は該真空容器の内部に突出していることを特徴とする請求項１〜３７のいずれかに記載のプラズマ生成装置。
【請求項３９】
前記真空容器の壁面に設けられた開口部に、前記高周波アンテナ導体が絶縁材を介して嵌め込まれていることを特徴とする請求項１〜３８のいずれかに記載のプラズマ生成装置。
【請求項４０】
請求項１〜３９のいずれかに記載のプラズマ生成装置を有することを特徴とするプラズマ処理装置。
【発明の詳細な説明】
【技術分野】
【０００１】
本発明は、プラズマを生成するための装置、及び生成したプラズマにより基板表面のエッチングや薄膜形成などを行うためのプラズマ処理装置に関する。
【背景技術】
【０００２】
半導体デバイス、液晶ディスプレイや太陽電池などの製造工程では、プラズマＣＶＤ装置、ドライエッチング装置、アッシング装置などのプラズマ処理装置が用いられる。これらの装置においては、大型基板への対応、高速処理、精細な加工などの目的を達するために、広い範囲に亘って高密度で均一性の高いプラズマを生成することが求められている。そのための一般的なプラズマ生成技術に、平行平板方式がある。平行平板方式は、２枚の平板電極を真空容器内に平行に配置して、一方の電極板に高周波電圧を印加し、他方の電極板を接地あるいは別の高周波電圧を印加して、両電極板間にプラズマを生成する。当該方式は所謂容量結合プラズマ（Capacitive Coupled Plasma：ＣＣＰ）であり、構造が簡単で、且つ電極面にほぼ一様なプラズマを生成することができるという利点を有する。さらに、電極板を大型化することによって、大型基板への対応も比較的容易である。【０００３】
しかし、近年、ディスプレイ用ガラス基板の著しい大型化によって電極板のサイズも非常に大きくなり、印加する高周波電力の波長効果が無視できなくなってきた。その結果、電極板の面内での電子密度（プラズマ密度）等の不均一性が現れるようになった。高周波電圧を用いるＣＣＰの難点を克服する方法として、小型アンテナと高周波電流を用いる誘導結合プラズマ（Inductively Coupled Plasma：ＩＣＰ）方式が開発されている。一般的に、ＩＣＰはＣＣＰに較べて低ガス圧力下でも高密度で、電子温度が低く、イオンエネルギーの小さいプラズマが得られる技術として知られている。【０００４】
特許文献１にはＩＣＰに関する技術が開示されている。この装置は、基板処理を行うための真空容器に、石英ガラスやセラミックスなどの誘電体で作製された、プラズマを生成するための真空容器（以下、プラズマ室と呼ぶ）を接続し、当該プラズマ室の外部を周回するように1回以上の巻き数のコイルを配置したものである。このコイルに高周波電流を流すことによりプラズマ室内に誘導電界を発生させ、該誘導電界によってプラズマ室内のガス分子を電離してプラズマを生成する。当該技術は、所謂外部アンテナによるプラズマ生成方法である。しかし、この方式ではプラズマ室が誘電体でなければならないため、誘電体容器として石英ガラス、あるいはアルミナ等を用いる必要があるが、これらは破損し易く、取り扱い難いなど機械強度の点で課題がある。また、このため、大型の装置を製作することが困難である。【０００５】
特許文献２には、内部アンテナ方式のプラズマ生成装置が開示されている。内部アンテナ方式は、周回したアンテナを真空容器内に設け、マッチングボックスを介して該アンテナの一端を高周波電源に、他端を直接或いはキャパシタを介して接地に接続する。該アンテナに高周波電流を流すことにより、特許文献１に記載の装置と同様にプラズマを生成することができる。しかし、真空容器内部において広く一様なプラズマを生成しようとすると、アンテナは真空容器の内壁に沿うように設置しなければならないため、該アンテナの長さは真空容器の内周長に近い長さになり、高周波に対するインピーダンスが大きくなる。そのため、高周波電流の変化に対してアンテナ両端間に発生する電位差が大きく変化し、プラズマ電位が大きく変化するという課題がある。【０００６】
このような課題を解決するために、線状導体を用いた非周回アンテナ方式が特許文献３に開示されている。更に、低インピーダンスを実現する非周回小型アンテナが提案されている（非特許文献１）。当該技術を用いた結果、高密度、低電子温度のプラズマが比較的低いガス圧力下で得られることが報告されている。また、非周回小型アンテナを用いて大面積基板を処理するための方法として、複数のアンテナを分散して配置する技術が開示されている。【０００７】
非周回アンテナ方式では、高周波電流によるアンテナの温度上昇を抑制するためにアンテナ導体をパイプ状として冷却水を循環する方法が採用されている。この方法では、当該パイプの両端に真空シール部、冷却水接続部及び高周波電源や接地との電気的な接続部を設ける必要があるため、構成が複雑となるのみならず、アンテナの脱着や保守点検に支障が生じる等の課題があった。また、更なる低インピーダンス化を図るためには、高周波電流の電流路面積を大きくするためにアンテナ導体パイプの口径を大きくする必要がある。従って、アンテナ導体の曲率半径が大きくなり、全長を長くしなければならない等の課題があった。【０００８】
また、低ガス圧力下での安定したプラズマの生成、或いは高ガス圧力下でのプラズマの高密度化のために、アンテナ近傍に磁界を重畳することが有効であることは一般的に知られている。しかし、真空容器内に突出させた前記アンテナ構造の場合、アンテナ近傍のプラズマ生成に効果的に磁界を付与することは容易でないなどの課題があった。
【先行技術文献】
【特許文献】
【０００９】
【特許文献１】特開平０９−２６６１７４号公報（図１）
【特許文献２】特開平１１−２３３２８９号公報（図１）
【特許文献３】特開２００１−０３５６９７号公報（図３）
【非特許文献】
【００１０】
【非特許文献１】J.Plasma Fusion Res. Vol. 81, No. 2(2005)85-93
【発明の概要】
【発明が解決しようとする課題】
【００１１】
本発明が解決しようとする課題は、構造が簡単であって製作が容易であり、脱着や保守点検などが容易な高周波アンテナを用いたプラズマ生成装置及びそれを用いたプラズマ処理装置を提供することである。また、プラズマ生成領域に必要な磁界を容易に付与することができるプラズマ生成装置及びプラズマ処理装置を提供する。
【課題を解決するための手段】
【００１２】
上記課題を解決するために成された本発明に係る装置は、
a) 真空容器と、
b) 前記真空容器の壁面に設けられた開口部と、
c) 前記開口部を気密に覆うように取り付けられる板状の高周波アンテナ導体と、
を備えることを特徴とする。【００１３】
本発明のプラズマ生成装置は、高周波アンテナが真空容器壁面の開口部を覆うように取り付けられるため、装置の構造が簡単であって製作が容易であると共に、アンテナの脱着や保守点検が容易である。また、高周波アンテナ導体が板状であり且つ真空容器外側に面するように設けられるため、高周波アンテナ導体から熱を放出しやすい。【００１４】
一般に、真空容器には、作製が容易であり必要な強度を確保できるうえ、高周波アンテナの接地に用いることができるという点で、金属製のものが用いられる。そのため、本発明のプラズマ生成装置においては、前記高周波アンテナ導体と前記壁面の間に絶縁材が介挿されることが望ましい。なお、特許文献１に記載のように絶縁体製の真空容器を用いる場合には、前記絶縁材を用いる必要はない。【００１５】
高周波アンテナ導体の平面形状は特に問わないが、例えば長方形のものを用いることができる。長方形の高周波アンテナ導体を用いる場合、高周波電力の供給は、例えば以下のように行うことができる。第１の例として、高周波アンテナの長手方向の一端を高周波電源に接続し、他端を接地することが挙げられる。これにより、高周波アンテナ導体内で高周波電流を均等に流すことができる。第２の例として、高周波アンテナ導体の中央部に高周波電源を接続し、長手方向の両端を接地することが挙げられる。第２の例の場合、高周波アンテナ導体の中心と長手方向の両端の間で高周波電流が流れる。そのため、高周波アンテナ導体の長手方向の長さを第１の例の2倍にすることにより、第１の例の場合と同じインピーダンスで2倍の電流を流すことができる。【００１６】
本発明のプラズマ生成装置において、前記開口部を複数有し、各開口部に高周波アンテナ導体が取り付けられた構造とすることができる。これにより、広い範囲に亘って均一性が高いプラズマを生成することができ、大面積の基板に対して一層均一性の高いプラズマ処理を行うことができる。【００１７】
本発明のプラズマ生成装置において、高周波アンテナ導体に垂直な磁界成分を有する磁力線を生成可能な磁界生成手段を高周波アンテナ導体の大気側に設置することができる。磁界発生手段には、永久磁石、電磁石のいずれも用いることができる。本発明の構成では、磁界発生手段を高周波アンテナ導体に近接して設置することができるため、プラズマ生成領域に効果的に磁界を付与することができる。【００１８】
本発明において、プラズマと接触する側（真空容器内部側）の高周波アンテナ導体の面に誘電体遮蔽板を挿入することが望ましい。これにより、高周波アンテナ導体がプラズマに直接接触することを防止することができる。また、誘電体遮蔽板の代わりに、誘電体の被膜を高周波アンテナ導体の真空側の面に設けてもよい。なお、本発明では高周波アンテナ導体が真空容器外部に面していることで高周波アンテナ導体自体が効率よく冷却されるため、誘電体遮蔽板や誘電体被膜もまた効率よく冷却される。そのため、温度上昇に伴って抵抗率が急激に小さくなるような材料もこれら遮蔽板又は被膜の材料として使用することが可能である。当該誘電体としては酸化物、窒化物、炭化物、又はフッ化物のものを用いることができる。【００１９】
また、本発明で用いる板状の高周波アンテナ導体は、真空容器内部側表面のインピーダンスが大気側表面のインピーダンスより低くなることが望ましい。これにより、高周波アンテナ導体の真空容器内部側表面に流れる高周波電流が増加し、供給される高周波電力がプラズマの発生に効率良く消費される。【００２０】
本発明に係るプラズマ生成装置は、プラズマＣＶＤ装置や、ドライエッチング装置、アッシング装置などの各種プラズマ処理装置に用いることができる。
【発明の効果】
【００２１】
本発明により、構成が簡単であって製作が容易であり、脱着や保守点検などが容易な高周波アンテナを用いたプラズマ生成装置及びそれを用いたプラズマ処理装置を得ることができる。【００２２】
また、高周波アンテナ導体の大気側に磁界生成手段を設けることにより、プラズマ生成領域に必要な磁界を容易に付与することができるプラズマ生成装置及びプラズマ処理装置を得ることができる。
【図面の簡単な説明】
【００２３】
【図１】本発明に係るプラズマ生成装置の第１実施例を示す概略縦断面図。
【図２】第１実施例において形成される高周波アンテナ導体１３近傍に形成される磁力線を示す概略図。
【図３】本発明に係るプラズマ生成装置の第２実施例における高周波アンテナ導体３３近傍の構成を示す概略縦断面図。
【図４】本発明に係るプラズマ生成装置の第３実施例を示す概略縦断面図。
【図５】第３実施例のプラズマ生成装置を用いて生成したプラズマの電子密度を示すグラフ。
【図６】第３実施例のプラズマ生成装置を用いて生成したプラズマのプラズマ電位を示すグラフ。
【図７】第３実施例のプラズマ生成装置を用いて生成したプラズマの電子温度を示すグラフ。
【図８】本発明に係るプラズマ生成装置の第４実施例を示す概略縦断面図。
【図９】第４実施例のプラズマ生成装置を用いて生成したプラズマの電子密度を示すグラフ。
【図１０】第４実施例における高周波アンテナ導体の他の構成を示す概略縦断面図(a)、及び概略上面図(b)。
【図１１】本発明に係るプラズマ生成装置の第５実施例において、高周波アンテナ導体のプラズマ室側表面を真空容器の内壁面と同一面上に配置した場合の高周波アンテナ導体周辺を示す概略断面図(a)、及び高周波アンテナ導体のプラズマ室側表面を真空容器の内壁面より内部側に突出させた場合の高周波アンテナ導体周辺を示す概略断面図(b)。
【図１２】本発明に係るプラズマ生成装置の第６実施例を示す概略断面図。
【図１３】第６実施例における高周波アンテナ導体周辺の概略平面図(a)、概略断面図(b)、及び拡大図(c)。
【図１４】第６実施例における高周波アンテナ導体周辺の他の構成を示す概略平面図。
【図１５】本発明に係るプラズマ生成装置の第７実施例における高周波アンテナ導体周辺の概略断面図。
【図１６】第７実施例の第１変形例において、高周波電源及びマッチングボックスを２組接続した場合の高周波アンテナ導体周辺の概略断面図(a)、及び高周波電源及びマッチングボックスを１組だけ接続した場合の高周波アンテナ導体周辺の概略断面図(b)。
【図１７】第７実施例の第２変形例における高周波アンテナ導体周辺の概略断面図。
【図１８】本発明に係るプラズマ生成装置の第８実施例における高周波アンテナ導体周辺の概略断面図。
【図１９】本発明において天板全体を高周波アンテナ導体とした例を示す概略縦断面図。
【図２０】本発明において高周波アンテナ導体を複数設けた例を示す概略縦断面図。
【発明を実施するための形態】
【００２４】
本発明の実施形態について図１〜図３を用いて説明する。図１に本発明のプラズマ生成装置の概略断面図で示す。本発明に係るプラズマ生成装置は、真空容器１１と、フランジ１２と、高周波アンテナ導体１３と、絶縁碍子枠体１４を有する。高周波アンテナ導体１３は平板状の形状を有する。真空容器１１の壁面の一部に開口部１９が設けられており、その開口部にフランジ１２が第１真空シール１５（例えばＯリング）を介して固定され、その上に高周波アンテナ導体１３が載置されている。フランジ１２と高周波アンテナ導体１３の間には、前記開口部１９を囲む絶縁碍子枠体１４及び第２真空シール１６が介挿されている。
【００２５】
高周波アンテナ導体１３の真空側には高周波アンテナ導体１３の表面を覆うように誘電体遮蔽板１７が配置され、大気側には磁界発生装置１８が載置されている。高周波アンテナ導体１３の一方の端部はマッチングボックス２１を介して高周波電源２０に接続され、他方の端部は接地されている。
【００２６】
その他、真空容器１１内に基体台２９を設けることにより、本発明のプラズマ生成装置は、基体台２９に載置された基体に対してプラズマＣＶＤ、ドライエッチング、アッシング等の処理を行うためのプラズマ処理装置として用いることができる。
【実施例１】
【００２７】
図１を参照しながら第１の実施例のプラズマ生成装置を詳細に説明する。高周波アンテナ導体１３は短辺約60mm×長辺約120mmの長方形のアルミニウム板である。高周波アンテナ導体１３の真空側の面は平面状であり、大気側の面には凹状の切欠部２３が設けられている。切欠部２３内に、磁界発生装置１８が載置されている。高周波アンテナ導体１３の厚さは切欠部２３よりも切欠部２３の周囲の方が厚くなっており、その導体の厚い部分の導体内に、冷却水を循環するための水路２２が設けられている。本実施例では、真空側に高周波アンテナ導体１３と誘電体遮蔽板１７を通して磁界を入れるために、切欠部２３の厚みは約3mmとした。いうまでもなく、必要な磁束密度は磁石の大きさ、残留磁束密度及び磁石からの距離などで決まるため、高周波アンテナ導体１３の厚みはこの値に限るものではない。【００２８】
前記絶縁碍子枠体１４にはピーク（ＰＥＥＫ：ポリエーテルエーテルケトン、エーテル−エーテル−ケトンの順に結合した高分子）材を用いた。絶縁碍子枠体１４と高周波アンテナ導体１３の間、及び絶縁碍子枠体１４とフランジ１２の間にはそれぞれシート状のパッキンを挟み、高周波に対する絶縁性能と真空シールを満足させた。なお、絶縁碍子枠体１４の素材については、高周波に対する絶縁性能と加工性能の点で満足すれば、ここに示すものに限るものではなく、セラミックス、エポキシ樹脂、ジュラコンあるいはテフロン（登録商標）でもよい。また真空シール用パッキンは、一般的なＯリングでも可能である。フランジ１２と高周波アンテナ導体１３は樹脂製ボルト又は樹脂製カラーを介して金属ボルトで締結した（図示せず）。【００２９】
高周波アンテナ導体１３の長辺方向の一端の側面に、銅平板を用いてマッチングボックス２１の出力端子を接続した。一方、長辺方向の他端は銅平板を用いてマッチングボックスの接地電位のケースに接続した。【００３０】
当該構造のプラズマ生成装置は外部アンテナ方式でも内部アンテナ方式でもなく、一般的に真空機器で使用されるフランジと同様に、高周波アンテナ導体１３が真空容器１１の一部を兼ねた構成としたものである。このような構成により、真空シール部、冷却水流路２２、冷却水接続部及び高周波電力供給のため接続部を分離することができる。更にはアンテナ導体保護のための誘電体遮蔽板１７についても前記高周波アンテナ導体１３とは独立に取り扱うことができる利点がある。【００３１】
従来例の高周波アンテナ導体はパイプを折り曲げた構造或いは湾曲させた三次元的な構造であるのに対して、本発明による高周波アンテナ導体は二次元的な構造であり、そのため同等サイズのアンテナ導体の場合でもインダクタンスが小さく、従ってインピーダンスを小さくすることができる。また、長方形の短辺の長さと長辺の長さは独立に設定することができるため、この点でもインピーダンスを小さくするための設計自由度が高い。【００３２】
本実施例では、高周波アンテナ導体１３に流す高周波電流により発生する電界は高周波アンテナ導体１３の長辺に沿った方向で該導体表面に平行な方向に発生する。該電界と直交する磁界方向としては、高周波アンテナ導体１３の短辺方向と該導体表面に垂直な方向がある。前者の電界と磁界とが高周波アンテナ導体１３に平行で且つ互いに直交する方向に配置される場合、プラズマ中の電子は磁界とアンテナ導体面に垂直な平面内で回転するため、該導体表面に入射する確率が大きく、したがって電子の損失が大きい。【００３３】
本実施例では、図２に磁力線の方向を示すように、前記高周波アンテナ導体１３に平行な電界と高周波アンテナ導体１３に垂直な磁界を組み合わせることにより、プラズマ中の電子が該導体面に平行な面内で回転運動する。そのため、該導体表面への入射確率を小さくし、それにより電子の損失が小さくすることができるため、高密度プラズマを生成することができる。【００３４】
このような磁界を実現するために、高周波アンテナ導体１３の大気側の面に平板状の永久磁石を設置し、該永久磁石の磁化の方向を高周波アンテナ導体１３の厚み方向となるように該磁石の向きを定めた。高周波アンテナ導体１３の真空側のプラズマ生成部に有効な磁束密度を付与するためには、高周波アンテナ導体１３の磁石設置部（切欠部）の厚みは3mm〜25mmがよい。これにより、（永久磁石の種類、残留磁束密度、磁石サイズによって磁界の拡がりは異なるが）上記厚みの金属材料を通して、真空側のアンテナ導体面近傍での磁束密度がプラズマ生成部に有効な数Gauss〜数百Gaussの磁界を発生することができる。このような磁界は、上記のような永久磁石に限られるものではなく、空心コイルなどの電磁石を用いた磁界発生手段でも可能である。【００３５】
本実施例では、高周波アンテナ導体１３の真空側に石英製の遮蔽板１７を配置した。該遮蔽版は高周波アンテナ導体表面と生成されたプラズマとの直接の接触を阻止するためである。もしアンテナ導体表面がプラズマと直接接触すると、アンテナ導体はプラズマに対して負の電位になり、加速されたイオンの衝突によってアンテナ導体材料がスパッタリングされて、その結果、放電ガス中に有害な不純物が混入する。遮蔽板１７により、このように不純物の混入を回避することができる。【００３６】
誘電体遮蔽板１７の材料は、石英に限られるものではなく、高純度シリコン板、アルミナ、イットリア、或いは炭化珪素などを用いることができる。また、高周波アンテナ導体１３の真空容器内側表面を前記誘電体材料で直接被覆してもよい。
【実施例２】
【００３７】
第２の実施例のプラズマ生成装置における高周波アンテナ付近の構成につき、要部概略断面を図３に示す。本実施例のプラズマ生成装置の構成は、高周波アンテナ導体３３及び高周波アンテナ導体３３への給電に関する配線以外は第１実施例とほぼ同様である。高周波アンテナ導体３３の長辺の長さは実施例１の高周波アンテナ導体１３の約2倍とし、その中央部に高周波電力給電用の突起部３０を設け、両端辺を接地した。高周波電力はマッチングボックスを介して前記突起部３０に給電し、接地した両端辺へと高周波電流を流した。【００３８】
本実施例により、アンテナインピーダンスを増加することなくプラズマ生成領域をほぼ2倍に拡張することができる。【００３９】
また、第１及び第２の実施例における高周波アンテナを、例えばプラズマ発生装置の天板に所定の間隔で複数個設置することにより、大面積プラズマ発生装置、或いはプラズマ処理装置を安価に提供することができる。
【実施例３】
【００４０】
第３の実施例のプラズマ生成装置における高周波アンテナ付近の構成につき、要部概略断面を図４に示す。本実施例は、直径180mm（うち、プラズマ発生領域の直径130mm）のアルミニウム製円盤から成る高周波アンテナ導体４３を用いる点以外は第１実施例とほぼ同様である。但し、第１実施例で設けられていた磁界発生装置は、本実施例では用いない。また、高周波アンテナ導体４３の形状に合わせて、絶縁碍子枠体４４は円形リング状に、誘電体遮蔽板４７は円盤状に、開口部４９は円形に、それぞれ第１実施例から形状を変更した。高周波アンテナ導体４３の円盤の円周上における点（給電点）には整合器を介して高周波電源（周波数13.56MHz）が接続され、その給電点を通る直径上にある円盤端部の点において接地されている。【００４１】
第３実施例のプラズマ生成装置を用いて、以下の実験を行った。
まず、真空容器１１内を1.0×10-3Pa以下まで排気した後、図示していないガス導入部より真空容器１１内にアルゴンガスを100ccm導入し、真空容器１１内の圧力を10Paに調整する。その後、高周波アンテナ導体４３に高周波電力を投入して真空容器内にプラズマを発生させた。そして、その生成したプラズマの特性を真空容器１１内に設置されたラングミュアプローブ４０を用いて測定した。【００４２】
この測定の結果を図５〜図７に示す。図５に示すように、電子密度は、投入した高周波電力（RFパワー）に対するグラフにおいて直線的に増加した。そして、高周波電力が測定範囲における最大値である1200Wの時に、電子密度は7.5×1010(cm-3)という高い値が得られた。一方、プラズマ電位（図６）や電子温度（図７）は高周波電力に依存することなくほぼ一定値を示し、プラズマ電位では8V、電子温度では1.4eVという非常に低い値が得られた。このようなプラズマ特性は低インダクタンスの高周波アンテナを用いて生成したプラズマの特徴を示している。このように、本発明のプラズマ発生装置において、高密度で低ダメージなプラズマが生成できることが確認できた。
【実施例４】
【００４３】
第４の実施例のプラズマ生成装置における高周波アンテナ付近の構成につき、要部概略断面を図８に示す。本実施例は、第１実施例の構成とほぼ同じであるが、フランジ１２を用いず、絶縁碍子枠体６４を直接フランジとして用いている点と、高周波アンテナ導体６３の真空容器大気側表面に凹凸部６１を設け、プラズマ室側表面に銅箔６２を接合させている点が異なっている。【００４４】
図８に示すように、高周波アンテナ導体６３の真空容器大気側表面には、アンテナ導体の長手方向に垂直な複数本の溝（凹凸部６１）が形成されている。これにより、高周波アンテナ導体６３の真空容器大気側表面は、高周波電流の伝搬に対して高インピーダンスになる。一方、高周波アンテナ導体６３のプラズマ室側表面には、低抵抗率部材である銅箔６２を接合させることによって、高周波電流の伝搬に対して低インピーダンスになるようにしている。このように、高周波アンテナ導体６３の真空容器大気側表面とプラズマ室側表面でインピーダンスに差をつけることにより、高周波アンテナ導体の真空容器内部側表面に流れる高周波電流が増加し、供給される高周波電力がプラズマの発生に効率良く消費されるようになる。【００４５】
高周波アンテナ導体６３のプラズマ室側表面に接合した銅箔６２は、その厚さを、高周波電流に対して表皮効果が及ぶ深さ以上にすることにより、さらにインピーダンスを低くすることができる。また、銅箔６２を高周波アンテナ導体６３のプラズマ室側表面だけでなく、高周波アンテナ導体に電力を供給する給電部にまで延長して接合することにより、大部分の高周波電流を前記銅箔部分に流れるようにすることができ、より効率良くプラズマを発生させることができる。本実施例では、銅箔の厚さを100μｍとし、給電部を銅箔６２と接続させた。また、高周波電源２０には、周波数13.56MHz、最大出力3kWの電源を用いた。【００４６】
第４実施例のプラズマ生成装置を用いて、以下の実験を行った。
まず、真空容器１１内を1.0×10−３Pa以下まで排気した後、真空容器内にガス導入部（図示せず）よりアルゴンガスを100ccm導入し、真空容器内の圧力を1.33Paに調整した。その後、高周波アンテナ導体６３に高周波電力を供給して真空容器内にプラズマを発生させた。その生成したプラズマの密度を真空容器内に設置したラングミュアプローブ（図示せず）を用いて測定した。【００４７】
前記アンテナ導体表面から80mm離れたプラズマ室内の電子密度の測定結果を図９に示す。電子密度は投入した高周波電力にほぼ比例して増加した。高周波電力が1.5kWの時に、電子密度は1.02×10１２（cm−３）であった。また、高周波パワー吸収効率は約80％であった。高周波アンテナ導体の両面を同一仕上げしたアンテナ導体を用いた比較実験の結果、0.84×10１２（cm−３）と比較すると、電子密度が約22％増加することが明らかになった。【００４８】
本実施例では、高周波アンテナ導体６３の真空容器大気側表面に、該高周波アンテナ導体の長手方向に垂直な複数本の溝を形成したが、表面の凹凸加工は高周波電流の伝搬に対して高インピーダンスになるような加工であればよく、本実施例に限定されるものではない。図１０の(a)及び(b)に示すように、高周波アンテナ導体６３の真空容器外側表面にハニカムパターン部６１Ａを形成することによっても、高周波電流の伝搬を抑制することができる。また、このようなハニカムパターン構造を用いることにより、アンテナ導体の機械的強度を保持しながら軽量化を図ることができる。【００４９】
高周波アンテナ導体として抵抗率の高い鉄−クロム系合金（ステンレス鋼）等を基材として用い、その表面の必要な部分に低抵抗率の金属層を形成することができる。更に、前記高周波アンテナ導体の基材として絶縁物であるセラミックス材等を用い、そのプラズマ室側表面に低抵抗率の金属層を形成することもできる。この場合は、高周波電流はプラズマ室側表面にのみ流れ、高密度プラズマの生成に極めて有効である。前記セラミックス材としては、石英、アルミナ、炭化珪素など酸化物、窒化物、炭化物、又はフッ化物を用いることができる。
【実施例５】
【００５０】
第５の実施例のプラズマ生成装置における高周波アンテナ付近の構成につき、要部概略断面を図１１の(a)及び(b)に示す。本実施例の高周波アンテナ付近の構成は、実施例４とほぼ同様であるが、第４実施例のものとは形状が異なる絶縁碍子枠体６４Ａを真空容器の器壁に設けた開口部に嵌め込む構成にした。また、高周波アンテナ導体６３のプラズマ室側表面を鏡面仕上げにして、高周波アンテナ導体６３のプラズマ室側表面のインピーダンスを低くすると共に、この高周波アンテナ導体６３と絶縁碍子枠体６４Ａとを真空シール６５を介挿して固定し、一体化させた構成とした。この構成によって、高周波アンテナ導体６３のプラズマ室側表面を、真空容器内壁面と同一面（図１１(a)）、又は真空容器内壁面よりプラズマ室側に突出（図１１(b)）した構成とすることができ、プラズマ室に高密度のプラズマを効率よく生成させることができる。また、高周波アンテナ導体６３の脱着や装置の保守点検を容易に行うことができる。【００５１】
本実施例では、前記高周波アンテナ導体６３のプラズマ室側表面に遮蔽板６７として、厚さ0.6mm、抵抗率1000〜4000Ωcmのｎ型高純度シリコン板を絶縁碍子枠体６４Ａによって挟持させた。シリコン板を遮蔽板として用いることによる高周波パワー吸収効率の変化は2％以下で、殆ど影響はなく、高周波アンテナ導体とプラズマとの直接の接触を遮断できる。このように高純度シリコン板を用いることにより、アンテナ導体材料がスパッタされることを防ぐことができるとともに、例えばポリシリコン薄膜を生成する場合において、遮蔽板がスパッタされることによる不純物原子の混入を回避することができる。遮蔽板６７としては高純度シリコン板に限定されるものではなく、石英板など誘電体板を用いることもできる。また、誘電体板表面に高純度シリコン膜を被覆して用いることもできる。【００５２】
本発明に係るプラズマ生成装置は、絶縁碍子枠体６４Ａ及び板状の高周波アンテナ導体６３によって真空容器内外の気圧差に耐える構造であるため、高周波アンテナ導体のプラズマ室側表面に設ける遮蔽板６７は機械的強度を必要とせず、極めて薄い誘電体板或いは誘電体層を用いることができる。従って、当該誘電体板或いは誘電体層での電力損失を低減でき、プラズマの生成効率の向上に有効である。また、高周波アンテナ導体６３と絶縁碍子枠体６４Ａを、真空容器１１の壁面に設けられた開口部１９に嵌め込む構成を用いることによって、高周波アンテナ導体と真空容器との間の電気容量を低減することができ、容量結合による高周波電力の損失を抑制することができる。
【実施例６】
【００５３】
本発明に係る第６実施例のプラズマ生成装置の概略断面図を図１２に示す。本実施例のプラズマ生成装置は、真空容器１１の天板に、ほぼ並行に配置した5個の長方形開口部１９１〜１９５を設け、絶縁碍子枠体６４Ａを介挿して高周波アンテナ導体７３１〜７３５を装着している。プラズマを生成するための原料ガスは、真空容器内に導入されたガス管２４の管壁に一定間隔で設けた細孔（図示せず）から供給される。真空容器内１１は排気口２５に接続された真空ポンプ（図示せず）によって排気される。真空容器１１内に基板支持台２９を設け、その表面に基板Ｓが載置されている。基板支持台２９には必要に応じて、基板加熱用のヒーター（図示せず）を設け、基板温度を調整することができる。【００５４】
第６実施例のプラズマ生成装置における高周波アンテナ付近の構成につき、要部概略図を図１３に示す。図１３の(a)には高周波アンテナ導体周辺の概略平面図を、(b)にはA−A’断面図を、(c)には断面部分の拡大図を示す。【００５５】
図１３(a)に示すように、5個の高周波アンテナ導体７３１〜７３５の端部は、銅板製の給電バー７４と電気的に接続されており、給電バー７４の中央部にマッチングボックス２１を介して接続された高周波電源２０(13.56MHz)から、高周波電力を供給される。一方、高周波アンテナ導体７３１〜７３５の他方の端部は銅板製の接地バー７５で電気的に接続され、該接地バー７５の両端部を接地電位にある真空容器１１の天板に接続されている。【００５６】
上記の接続により、給電バー７４及び接地バー７５を含めた各高周波アンテナ導体７３１〜７３５に流れる高周波電流の電流路を実質的に同一の長さにすることができる。従って、各高周波アンテナ導体７３１〜７３５のインピーダンスはほぼ同一となり、プラズマ室に均一な密度のプラズマを生成することができる。本発明によれば、1台の高周波電源とマッチングボックスによって複数個のアンテナ導体にほぼ均一な高周波電流を流すことができ、安価なプラズマ処理装置を提供することが可能になる。以下、複数の高周波アンテナ導体を1組とした構成のことを「高周波アンテナ構成体」と呼ぶことにする。【００５７】
なお、図１３(c)に示す高周波アンテナ導体７３１の周辺の構成は、高周波アンテナ導体７３１の真空容器大気側表面に凹凸部が設けられていない点を除いて実施例５と同じであり、高周波アンテナ導体７３１のプラズマ室側表面が、真空容器の内壁面と同一の面上にあるよう構成されている。【００５８】
本実施例の変形例を図１４に示す。図１４では、5個の高周波アンテナ導体の一方の端部が給電バー７４Ａによって、もう一方の端部が接地バー７５Ａによって電気的に接続されている。また、高周波電源２０は、給電バー７４Ａの一方の端に、マッチングボックス２１を介して接続されており、接地バー７５Ａの接地は、高周波電源２０が接続された側の高周波アンテナ導体７３１から数えて最終番目側（高周波アンテナ導体７３５側）の端部で行われている。このような構成を用いることにより、各高周波アンテナ導体７３１〜７３５のインピーダンスをほぼ同一とすることができ、各高周波アンテナ導体に流れる高周波電流をほぼ同一にすることができる。【００５９】
更に、図１４に示すように、モード切り替えスイッチ８０を介して接地バー７５Ａを接地する。このモード切り替えスイッチ８０をオフにして高周波アンテナ導体７３１〜７３５を接地状態から開放することにより、プラズマのモードを誘導結合プラズマから容量結合プラズマに切り替えることができる。プラズマのモードを容量結合プラズマに切り替えることによって、スパッタリング又はエッチングによって、高周波アンテナ導体表面又は遮蔽板表面に堆積した堆積物を除去することが容易になる効果がある。また、モード切り替えスイッチ８０をオフの状態からオンの状態に戻すことで、プラズマのモードを容量結合プラズマから誘導結合プラズマに戻すことができる。なお、このような高周波アンテナ導体の接地状態の切り替えによるプラズマのモード切り替えは、他の実施例でも行うことができる。
【実施例７】
【００６０】
第７の実施例における高周波アンテナ構成体付近の構成につき、要部概略平面図を図１５に示す。本実施例では、高周波アンテナ導体７３１〜７３５の長手方向の長さを、実施例６の2倍の1200mmとしている。5個の長方形開口部１９１〜１９５と5本の長方形高周波アンテナ導体７３１〜７３５は一定の間隔でほぼ並行に配置されており、高周波アンテナ導体７３１〜７３５の中央部は給電バー７４Ｂによって電気的に接続され、高周波アンテナ導体７３１〜７３５の長手方向の両端部はそれぞれ接地バー７５Ｂによって電気的に接続されている。高周波電源２０は、給電バーの一端にマッチングボックス２１を介して接続され、接地バー７５Ｂの接地は、高周波電源２０が接続された側の高周波アンテナ導体７３１から数えて最終番目側（高周波アンテナ導体７３５側）の端部で行われている。このような構成を用いることにより、給電バー及び接地バーを含めた各高周波アンテナ導体７３１〜７３５のインピーダンスをほぼ同一にすることができ、各高周波アンテナ導体に流れる高周波電流をほぼ同一にすることができる。また、各高周波アンテナ導体のインピーダンスを増加させることなく、プラズマ生成領域をほぼ2倍に拡張することができる。【００６１】
また、本実施例の第１の変形例として、図１５に示す高周波アンテナ構成体において、給電バーと接地バーの配置を入れ替えることができる。この場合、接地バーは1本、給電バーは2本になるため、接地バーの接地点７７は1点のみとなり、給電バーの給電点７６は2点となる（図１６(a)及び(b)）。高周波電源及びマッチングボックスは図１６(a)に示すように各給電点７６にそれぞれ1組ずつ設けても良いし、図１６(b)に示すように1組の高周波電源及びマッチングボックスを各給電点に接続する構成であっても良い。このような構成によっても、上記実施例と同様に給電バー及び接地バーを含めた各高周波アンテナ導体７３１〜７３５のインピーダンスをほぼ同一にすることができ、各高周波アンテナ導体に流れる高周波電流をほぼ同一にすることができる。【００６２】
さらに、本実施例の第２の変形例として、図１７に示すように、給電点７６を給電バー７４Ｂの中央部に設け、接地点７７を2本の接地バーの両端部すべてに設けるという構成を用いることにより、各高周波アンテナ導体のインピーダンス及びアンテナ導体に流れる高周波電流をほぼ同一にすることができる。【００６３】
さらに、これらの高周波アンテナ構成体は、一定の間隔で複数設置することができる。これにより、大面積のプラズマ生成装置、或いはプラズマ処理装置を提供することができる。
【実施例８】
【００６４】
第８の実施例のプラズマ生成装置における高周波アンテナ付近の構成につき、要部概略断面を図１８に示す。本実施例では、図１８に示すように、3個以上の高周波アンテナ導体からなる高周波アンテナ構成体の少なくとも両端のアンテナ導体の表面が、前記両端より内側のアンテナ導体の方向に傾斜している。このように、両端部のアンテナ導体の表面を中央部に向かって傾斜させることによって、アンテナ構成体両端部の電子密度の低減を補償することができ、全面にわたってほぼ一様な密度のプラズマを生成することができる。【００６５】
これまでの実施例では、周波数13.56MHzの高周波電力を用いたが、この周波数に限られるものではなく、500MHzといった高い周波数のものや13.56MHz以下のものも使用することができる。しかし、均一な密度のプラズマを生成するには、高周波電力の当該周波数の真空波長を前記長方形高周波アンテナ導体の長手方向の長さの8倍以上とした方が良い。【００６６】
また、これまで真空容器の上面（天板）の一部に開口部を設けた例を示したが、図１９に示すように、天板全体を高周波アンテナ導体５３として用いることもできる。また、ここまでに述べたものと同様の高周波アンテナ導体を真空容器の側面に設けてもよい。さらに、複数の高周波アンテナ導体を用いる場合、高周波電源及びマッチングボックスは、高周波アンテナ導体のそれぞれに1台ずつ接続させる構成としても良く（図２０）、長方形以外の形状の高周波アンテナ導体を用いても良い。
【符号の説明】
【００６７】
１１…真空容器
１２…フランジ
１３、３３、４３、５３、６３、７３１、７３２、７３３、７３４、７３５…高周波アンテナ導体
１４、４４、６４、６４Ａ…絶縁碍子枠体
１５…第１真空シール
１６…第２真空シール
１７、４７、６７…誘電体遮蔽板
１８…磁界発生装置
１９、１９１、１９２、１９３、１９４、１９５、４９…開口部
２０…高周波電源
２１…マッチングボックス
２２…冷却水流路
２３…切欠部
２４…ガス管
２５…排気口
２９…基体台
３０…突起部
４０…ラングミュアプローブ
６１…凹凸部
６１Ａ…ハニカムパターン部
６２…銅箔
６５…真空シール
７４、７４Ａ、７４Ｂ…給電バー
７５、７５Ａ、７５Ｂ…接地バー
７６…給電点
７７…接地点
８０…モード切り替えスイッチ
【図１】
2009142016.tif 000003
【図２】
2009142016.tif 000004
【図３】
2009142016.tif 000005
【図４】
2009142016.tif 000006
【図５】
2009142016.tif 000007
【図６】
2009142016.tif 000008
【図７】
2009142016.tif 000009
【図８】
2009142016.tif 000010
【図９】
2009142016.tif 000011
【図１０】
2009142016.tif 000012
【図１１】
2009142016.tif 000013
【図１２】
2009142016.tif 000014
【図１３】
2009142016.tif 000015
【図１４】
2009142016.tif 000016
【図１５】
2009142016.tif 000017
【図１６】
2009142016.tif 000018
【図１７】
2009142016.tif 000019
【図１８】
2009142016.tif 000020
【図１９】
2009142016.tif 000021
【図２０】
2009142016.tif 000022
【国際調査報告】
2009142016.tif 000023
2009142016.tif 000024
2009142016.tif 000025
2009142016.tif 000026
2009142016.tif 000027
2009142016.tif 000028